(57)【特許請求の範囲】
【請求項１】
画像データの濃度を反転し、濃度反転画像を得る反転手段と、
前記反転手段で得られた濃度反転画像を２色に分離し、２色で構成される２色画像データを得る分離手段と、
前記分離手段で得られた２色画像データを、２色で構成される画像を形成する画像形成装置に出力する出力手段とを備えることを特徴とする画像処理装置。
【請求項２】
前記反転手段は複数種類の反転処理手法を有し、前記反転手段において用いる所望の反転処理手法を前記複数種類の反転処理手法より選択する選択手段を更に備えることを特徴とする請求項１に記載の画像処理装置。
【請求項３】
前記反転手段は、ＲＧＢの輝度データより生成されたＣＭＹＫ濃度データを反転することにより濃度反転データを得ることを特徴とする請求項１に記載の画像処理装置。
【請求項４】
前記反転手段は、ＲＧＢの輝度データをＣＭＹＫデータに変換するＬｏｇ変換において、その濃度を反転させることを特徴とする請求項１に記載の画像処理装置。
【請求項５】
画像データの濃度を反転し、濃度反転画像を得る反転工程と、
前記反転工程で得られた濃度反転画像を２色に分離し、２色で構成される２色画像データを得る分離工程と、
前記分離工程で得られた２色画像データを、２色で構成される画像を形成する画像形成装置に出力する出力工程とを備えることを特徴とする画像処理方法。
【発明の詳細な説明】
【０００１】
【産業上の利用分野】
本発明は２色に分離された画像データを出力する画像処理方法及び装置に関する。
【０００２】
【従来の技術】
画像リバース（ネガ・ポジ反転）処理は、モノクロ画像形成装置やカラー画像形成装置においては一般的に備えられている機能である。
【０００３】
【発明が解決しようとする課題】
しかしながら、原稿画像を２色に分離して２色で出力をおこなう２色画像形成装置においては、画像リバース処理機能を有するものは知られていない。
【０００４】
本発明は上記の問題に鑑みてなされたものであり、画像リバース処理機能を有する画像処理方法及び装置を提供することを目的とする。
【０００５】
また、本発明の他の目的は、反転された２色画像を形成するための複数種類の反転処理手法を備え、所望の反転処理を選択可能とする画像処理方法及び装置を提供することにある。
【０００６】
【課題を解決するための手段】
上記の目的を達成するための本発明の画像処理装置は、
画像データの濃度を反転し、濃度反転画像を得る反転手段と、
前記反転手段で得られた濃度反転画像を２色に分離し、２色で構成される２色画像データを得る分離手段と、
前記分離手段で得られた２色画像データを、２色で構成される画像を形成する画像形成装置に出力する出力手段とを備える。
【０００７】
また、好ましくは、前記反転手段は複数種類の反転処理手法を有し、前記反転手段において用いる所望の反転処理手法を前記複数種類の反転処理手法より選択する選択手段を更に備える。種々の用途に対応した反転画像を得ることができるからである。
【０００８】
また、好ましくは、前記反転手段は、ＲＧＢの輝度データより生成されたＣＭＹＫ濃度データを反転することにより濃度反転データを得る。フィルムのネガ等に対して濃度反転処理を行うことができる。
【０００９】
また、好ましくは、前記反転手段は、ＲＧＢの輝度データをＣＭＹＫデータに変換するＬｏｇ変換において、その濃度を反転させる。ＣＭＹ濃度を変換する場合に比べて、変換用のテーブルを少なくできるからである。
【００１５】
【作用】
上記の構成によれば、２色分離する前のカラー画像データに対して濃度の反転処理が行われ、反転処理されたカラー画像データに基づいて２色分離が行われる。このように構成することで、例えば、フィルムのネガに対してＣＭＹ反転を行うことができる。
【００１７】
【実施例】
以下に添付の図面を参照して本発明の好適な実施例を説明する。
【００１８】
（実施例１）
図１は本実施例の２色画像形成装置の概略構成を示した本体構成図である。同図において、２０１は感光ドラムであり、レーザー光の照射により画像の現像を行う。即ち、感光ドラム２０１は一次帯電器２０２でまず均一に帯電され、黒現像用レーザー光１１６によって、黒色用の画像が感光ドラム２０１上に記録され、黒画像現像器２０４によって現像される。赤画像の現像は上記黒画像の場合と同様に行われる。まず、赤画像用一次帯電器２０５によって感光ドラム２０１を再び均一に帯電し、赤現像用レーザー光１１７で赤色用画像を記録する。そして、赤画像現像器２０７によって現像することで赤画像の現像をおこなう。
【００１９】
その後、記録紙搬送部２０８上に送られてきた記録用紙上に転写帯電器２１１によって画像を転写する。用紙上のトナーはそのまま熱定着器２１０で当該用紙に溶融定着される。感光ドラム２０１上に残ったトナーはクリーナー２０９によって取り除かれる。
【００２０】
図２は本実施例の２色画像形成装置における画像処理制御の構成例を説明するブロック図である。
【００２１】
まず、原稿台上に置かれた原稿からＣＣＤラインセンサ１０１により画像をＲＧＢ画像データ１０２として読みとる。その後、Ａ／Ｄ変換器１０３によりアナログ／デジタル変換を行い、シェーディング補正部１０５においてデジタル信号の状態でセンサ出力の不均一性を補正するためのシェーディング補正を行う。次にＲＥＤ，ＧＲＥＥＮ，ＢＬＵＥの各輝度信号１０６はＬｏｇ変換部１０７によってＬｏｇ変換され、ＣＹＡＮ（シアン），ＭＡＧＥＮＴＡ（マゼンタ），ＹＥＬＬＯＷ（イエロー）の濃度信号１０８に変換される。
【００２２】
更にＬｏｇ変換部１０７では、ＣＹＡＮ，ＭＡＧＥＮＴＡ，ＹＥＬＬＯＷのデータに対して濃度レベル変換を行い、各濃度データを反転させる。濃度データを反転するための濃度レベル変換の特性を図３に示す。ここでは、ＣＹＡＮ，ＭＡＧＥＮＴＡ，ＹＥＬＬＯＷのデータに対して濃度レベル変換を行う例を挙げたが、図４で示される様にＬｏｇ変換時の変換テーブルを通常のＬｏｇ変換テーブル（ａ）から反転処理を含むＬｏｇ変換テーブル（ｂ）にすることによっても同様の効果が得られる。
【００２３】
続いて、色分解回路１０９において、ＣＹＡＮ，ＭＡＧＥＮＴＡ，ＹＥＬＬＯＷのデータに基づいて黒信号Ｋ１１０と赤画像Ｒ１１０を生成し、ガンマ変換部１１１においてプリンターの濃度勾配補正を行う。また赤画像は黒画像よりも後で現像されるために、赤の画像信号１１２はタイミング制御部１１３によりタイミング調整が行われる。それぞれの画像信号はレーザードライバ１１５ａ、１１５ｂによって、それぞれ黒現像用レーザー光１１６、赤現像用レーザー光１１７に変換され、画像記録が行われる。
【００２４】
次に画像に対して反転処理を行なった場合の例について図５を用いて説明する。図５はカラー原稿画像を反転した２色画像として出力する様子を説明する図である。
【００２５】
図５の（ａ）で示されるのがカラー原稿画像である。この例での原稿画像は赤，緑，青で彩色された３つの円を含んでいる。この原稿を上述したように、Ｌｏｇ変換部１０７で反転処理を行なった状態の画像データが図５の（ｂ）である。３つの円はそれぞれシアン，マゼンタ，イエローの色で表わされ、背景は黒になる。この画像データに対して色分離処理を施すと図５の（ｃ）のようになり、３つの円はそれぞれ薄いグレー，濃い赤，薄い赤で表される。
【００２６】
また、別の例を図６で示す。図６の（ａ）の原稿は３つの文字を含んでおり、それぞれシアン，黒，赤の色で彩色されている。この画像に対して、上述の如き反転処理を行うと、図６の（ｂ）のような２色反転画像が得られ、各文字は赤，白，薄いグレーで表わされ、背景は黒になる。
【００２７】
以上説明したように、実施例１によれば２色画像形成装置において、反転処理された画像を形成することが可能となる。なお、実施例１によれば、ＣＭＹデータについて反転を行ってから２色分離を行う。このような２色反転処理は、写真画像に対するものが主となる。例えば、フィルムのネガにたしいてＣＭＹ反転を行い、色分離処理を行うことでポジの絵の赤、黒、２色画像が得られる。
【００２８】
また、実施例１において、図３のようにＣＭＹ濃度データに対して反転を行う場合と、図４のようにＬｏｇ変換部で反転処理を行う場合を説明しているが、Ｌｏｇ変換部で反転処理を行う方が変換のためのテーブルが少なくて済むという利点がある。
【００２９】
（実施例２）
次に実施例２について説明する。実施例２の２色画像形成装置の本体構成は、実施例１で説明したもの（図１）と同様である。また、その画像処理にかかわる制御構成も実施例１（図２）と同様である。以下に、本実施例２における画像処理の流れを図２のブロック図を用いて説明する。
【００３０】
まず、原稿台上に置かれた原稿からＣＣＤラインセンサ１０１により画像をＲＧＢ画像データ１０２として読みとる。その後、Ａ／Ｄ変換部１０３によりアナログ／デジタル変換を行い、シェーディング補正部１０５においてデジタル信号の状態でセンサ出力の不均一性を補正するためのシェーディング補正を行う。次にＲＥＤ，ＧＲＥＥＮ，ＢＬＵＥの輝度信号１０６はＬｏｇ変換部１０７によるＬｏｇ変換によってＣＹＡＮ，ＭＡＧＥＮＴＡ，ＹＥＬＬＯＷの輝度信号１０８に変換される。つづいて、色分解回路１０９によって、黒信号Ｋ１１０と赤信号Ｒ１１０が生成される。
【００３１】
ここで、色分解回路１０９では、図７で示される濃度レベル変換が行われ、黒信号Ｋ１１０と赤信号Ｒ１１０の各濃度データを反転させる。この黒赤信号の反転の仕方は、原稿画像の特徴によって、あるいはユーザーによって選択できるように複数種類用意しておくことも可能である。なお、これについては追って説明する。
【００３２】
つづいて、ガンマ変換部１１１でプリンターの濃度勾配補正を行う。また赤画像は黒画像よりも後で現像されるために、赤の画像信号１１２に対してはタイミング制御部１１３でタイミング調整が行われる。それぞれの画像信号は１１５のレーザードライバによって黒現像用レーザー光１１６、赤現像用レーザー光１１７に変換され、画像記録が行われる。
【００３３】
次に、黒赤濃度データの反転方法についていくつか説明する。ここでは、黒赤濃度データの反転方法として、
１）２色画像の有する黒濃度データと赤濃度データのうち、ＭＡＸ値を有する色に統一し、単色画像としてから反転を行って反転画像を画像形成する、
２）画素ごとに赤濃度データの有無を調べ、赤濃度データが存在していなければ、その画素に対して黒濃度データを反転し、赤濃度データが存在していれば赤濃度データをそのまま出力する、
の２種類について説明する。
【００３４】
上記１），２）の各方法の例を図８，図９を用いて説明する。図８、図９は黒赤画像の反転制御を説明する図である。
【００３５】
図８の（ａ）は、色分解回路１０９によって、ＣＹＡＮ，ＭＡＧＥＮＴＡ，ＹＥＬＬＯＷの輝度信号１０８を黒赤画像に変換した直後の画像であり、赤の文字と黒の文字を含んでいる。１）の手法では、この画像の黒，赤のデータのうちＭＡＸ値を有する色を抽出し（本例では黒）、黒濃度データとして表わしたものが図８の（ｂ）である。この黒濃度を反転すると、文字が白、背景が黒で表わされた図８（ｃ）のようになる。
【００３６】
また、同様に図９の（ａ）は２色に変換された直後の画像であり、赤の文字と黒の文字を含んでいる。上記２）の手法によれば、この画像の赤を含んでいない画素だけを黒反転し、赤を含んでいる画素はそのまま出力される。すると、図９の（ｂ）のようになる。
【００３７】
以上のような実施例２の２色画像反転処理の構成では、ＲＫ（赤黒）データについて反転が行われる。このような手法の用途としては、テキスト画像に対するものが主となる。画像濃度の反転処理は、一般に、強調効果を持たせることを意図して用いられることが多い。
【００３８】
以上説明した例に限らず、条件を設定することで様々な効果を持つ反転処理を行うことができる。
【００３９】
また、実施例１，２で説明した各種の２色画像反転手法の所望の一つを選択するようなモードを設ければ、ユーザが必要とする反転効果を画像にあわせて選択することも可能である。
【００４０】
さらに、上記実施例では、黒と赤の２色画像である場合について説明したが、２色画像形成装置に搭載可能な別の色についても同様の構成で反転処理が可能であることはいうまでもない。
【００４１】
尚、本発明は、複数の機器から構成されるシステムに適用しても、１つの機器から成る装置に適用しても良い。また、本発明はシステム或は装置にプログラムを供給することによって達成される場合にも適用できることはいうまでもない。
【００４２】
【発明の効果】
以上説明したように、本発明によれば、画像リバース処理が施された２色で構成される画像を提供することが可能となる。
【００４３】
また、反転処理の手法を複数設けて選択可能としたことで、異なる特徴を持つ画像に対しても、最適な反転処理を行うことが可能となる。
【００４４】
【図面の簡単な説明】
【図１】本実施例の２色画像形成装置の概略構成を示した本体構成図である。
【図２】本実施例の２色画像形成装置における画像処理制御の構成例を説明するブロック図である。
【図３】濃度データを反転するための濃度レベル変換の特性を示す図である。
【図４】濃度反転画像を形成するためのＬｏｇ変換テーブルを説明する図である。
【図５】実施例１におけるカラー原稿画像を反転した２色画像として出力する様子を説明する図である。
【図６】実施例１におけるカラー原稿画像を反転した２色画像として出力する様子を説明する図である。
【図７】２色画像反転のための黒信号と赤信号の濃度変換の特性を示す図である。
【図８】実施例２における黒赤画像の反転制御を説明する図である。
【図９】実施例２における黒赤画像の反転制御を説明する図である。
【符号の説明】
１０１  ＣＣＤ
１０３  Ａ／Ｄ変換器
１０５  シェーディング補正部
１０７  Ｌｏｇ変換部
１０９  色分解補正部
１１１  ガンマ補正部
１１３  タイミング制御部
１１５ａ、１１５ｂ  レーザドライバ
【図１】
0003673561.tif 000002
【図２】
0003673561.tif 000003
【図３】
0003673561.tif 000004
【図４】
0003673561.tif 000005
【図５】
0003673561.tif 000006
【図６】
0003673561.tif 000007
【図７】
0003673561.tif 000008
【図８】
0003673561.tif 000009
【図９】
0003673561.tif 000010